(57)【特許請求の範囲】
【請求項１】
バッグ（１）の前後の周壁方向に沿って起立状態を保持して収容される仕切り（７）の本体部（７ａ）と、該本体部（７ａ）の少なくとも片面の上下方向中間位置に上記周壁に向って前後方向に突出し、上部に収納物を載せて収納する棚部（７ｂ）とを備え、上記本体部（７ａ）と棚部（７ｂ）とによって棚部（７ｂ）下側に形成されるバッグ（１）内の下部収納スペース（Ｓ２）の左右両端の少なくとも一方の側を収納物の左右方向への取出しが可能な開放部とし、上記棚部（７ｂ）が上部の収納物の支持が可能な剛性と弾性変形可能な弾力性を備えたプラスチック製の板材からなり、前後幅がバッグ（１）内の前後幅を越え、収納物の重量によって棚部（７ｂ）の突出端の裏側が突出側の周壁内面に弾力的に押接されることによって収納物の重量を支える突出幅に形成されるバッグ類用の仕切り。
【請求項２】
棚部（７ｂ）が本体部（７ａ）と一体に構成される請求項１に記載のバッグ類用の仕切り。
【請求項３】
棚部（７ｂ）がバッグ（１）内の前後幅に対応して前後方向の幅の伸縮調節が可能に構成された請求項１に記載のバッグ類用の仕切り。
【請求項４】
請求項１〜３のいずれかに記載の仕切り（７）を収容するバッグ（１）の収納物出し入れ用の開口部（５，８，１６）が棚部（７ｂ）の少なくとも下側の収納スペース（Ｓ２）の取出し用の開放部側において開閉される構造である仕切りを用いたバッグ。
【請求項５】
請求項１〜３のいずれかに記載の仕切り（７）の棚部（７ｂ）を収容するバッグ（１）の収納物出し入れ用の開口部（５）に開閉用の一連のスライドファスナー（４）を設け、該スライドファスナー（４）の開口部（５）を構成するファスナーラインがバッグ（１）の上部から左右両側を経由してさらに蓋部（６）の下部位置に両端のファスナーエンド（４ａ）を設け、上記ファスナーエンド（４ａ），（４ａ）間に蓋部（６）の全開時の折曲部となる所定の間隔（Ｈ）を設けてなる仕切りを用いたバッグ。
【請求項６】
棚部（７ｂ）の下側の収納スペース（Ｓ２）の棚部（７ｂ）の突出端側に収納物取出用の開放部を設け、ファスナーラインによって形成されるバッグ（１）の蓋部（６）の上記開放部の対応位置に独自に開閉可能な補助開口部（８）を設けてなる請求項４又は５に記載の仕切りを用いたバッグ。
【請求項７】
請求項２〜３のいずれかに記載の仕切り（７）の棚部（７ｂ）の下側収納スペース（Ｓ２）における棚部突出端側を開放部とし、該開放部に対応する側のバッグ（１）の周壁に上記下側収納スペース（Ｓ２）の収納物を取出す補助開口部（１６）を開閉可能に形成した仕切りを用いたバッグ。
【発明の詳細な説明】
【技術分野】
【０００１】
この発明はバッグ類用の仕切り及び仕切りを用いたバッグに関する。
【背景技術】
【０００２】
従来バッグ類の内部に挿入し、主として本や筆記用具，化粧品その他の小物を効率良く収納整理する仕切り又は収納具として特許文献１，２に示すものが提案されている。
上記仕切りはいずれもバッグ類の内部形状（周壁）に沿う形状のプレート状の本体部に底板又は筒状のポケット、バンド等の収容部が付設されたものである。
【先行技術文献】
【特許文献】
【０００３】
【特許文献１】特開２０１４−１１０８３４号公報
【特許文献２】実用新案登録第３０５０７４７号公報
【発明の概要】
【発明が解決しようとする課題】
【０００４】
上記特許文献１，２の発明は、主に扁平な箱型形状で上部開放型のバッグ類に対し、挿入するプレート状の本体部の側面に沿って小物を並べて位置決め収納することで、その外側に他の収納物の有効スペースを確保して上方からの取出しを容易にするものである。
【０００５】
しかし、上記仕切りや収納具は、本や財布、筆記用具のように厚みがなく定形的な直方体形状のものや、断面径が大きくない縦長のものを出し入れするには便利であるが、例えばカメラや化粧用具等のようにこれらのポケットに収納できない不定形な小物の整理には適さず、しかもこれらの収納物を重ねて収納した場合は頻繁に出し入れすることが難しいという問題がある。
【０００６】
また片手が不自由な身障者や片手がふさがって一方の手のみでバッグ開放部の操作や収納物の出し入れをする者にとっては一層不便である。
【課題を解決するための手段】
【０００７】
上記課題を解決するための本発明は、第１にバッグ１の前後の周壁方向に沿って起立状態を保持して収容される仕切り７の本体部７ａと、該本体部７ａの少なくとも片面の上下方向中間位置に上記周壁に向って前後方向に突出し、上部に収納物を載せて収納する棚部７ｂとを備え、上記本体部７ａと棚部７ｂとによって棚部７ｂ下側に形成されるバッグ１内の下部収納スペースＳ２の左右両端の少なくとも一方の側を収納物の左右方向への取出しが可能な開放部とし、上記棚部７ｂが上部の収納物の支持が可能な剛性と弾性変形可能な弾力性を備えたプラスチック製の板材からなり、前後幅がバッグ１内の前後幅を越え、収納物の重量によって棚部７ｂの突出端の裏側が突出側の周壁内面に弾力的に押接されることによって収納物の重量を支える突出幅に形成されることを特徴としている。
【０００８】
第２に、棚部７ｂが本体部７ａと一体に構成されることを特徴としている。
【０００９】
第３に、棚部７ｂがバッグ１内の前後幅に対応して前後方向の幅の伸縮調節が可能に構成されたことを特徴としている。
【００１０】
第４に、仕切り７を収容するバッグ１の収納物出し入れ用の開口部５，８，１６が棚部７ｂの少なくとも下側の収納スペースＳ２の取出し用の開放部側において開閉される構造であることを特徴としている。
【００１１】
第５に、仕切り７の棚部７ｂを収容するバッグ１の収納物出し入れ用の開口部５に開閉用の一連のスライドファスナー４を設け、該スライドファスナー４の開口部５を構成するファスナーラインがバッグ１の上部から左右両側を経由してさらに蓋部６の下部位置に両端のファスナーエンド４ａを設け、上記ファスナーエンド４ａ，４ａ間に蓋部６の全開時の折曲部となる所定の間隔（Ｈ）を設けてなることを特徴としている。
【００１２】
第６に、棚部７ｂの下側の収納スペースＳ２の棚部７ｂの突出端側に収納物取出用の開放部を設け、ファスナーラインによって形成されるバッグ１の蓋部６の上記開放部の対応位置に独自に開閉可能な補助開口部８を設けてなることを特徴としている。
【００１３】
第７に、仕切り７の棚部７ｂの下側収納スペースＳ２における棚部突出端側を開放部とし、該開放部に対応する側のバッグ１の周壁に上記下側収納スペースＳ２の収納物を取出す補助開口部１６を開閉可能に形成したことを特徴としている。
【発明の効果】
【００１４】
以上のように構成される本発明の仕切り及び仕切りを用いたバッグによれば以下のような効果を奏する。
（１）本体部の高さ方向中間位置に棚部を設けた結果、棚部の上部スペースと下部スペースに各別に分けて収容物を収容することができるので、全体を上下に区分けして整理収容することができるほか、バッグの左右両側又は片側を開口した状態で、上記上下の各スペースの対応する開放部より収容物を取出すことができる。
また棚部の前後幅は棚部の弾性変形や伸縮によりバッグの内幅や収容物の幅に応じて調節されるので、各種バッグに対する汎用性があり、上記収容状態の安定性が保持できる。
【００１５】
（２）棚部が本体部と一体の剛性を有することにより収容状態の安定性が良く、幅方向に変化することにより、縮小時には棚部の突出端とこれに対応するバッグの周壁との間のスペースに上下に通じる高さの確実な収容スペースを確保できる利点がある。
またファスナーによる開口部の開閉に限らず、下部スペースと対応する周壁に開口部を設けることにより、下側スペースの収容物を独自に取出すことができる。
【００１６】
（３）いずれの場合も上側スペースの収容物はバッグ自体の開口によって上側から取出せるほか、下側スペースの収容物をバッグの蓋部の全開により、又は独自の取出口を設けることにより、片手の操作のみで収容物を取出せる利点がある。
【図面の簡単な説明】
【００１７】
【図１】本発明の仕切りとその仕切りを利用したバッグの第１実施例の全体斜視図である。
【図２】同じく本発明の第１実施例の使用形態を併せて示す側断面図である。
【図３】本発明の仕切りとバッグの第２実施例を示す斜視図である。
【図４】本発明の第２実施例の仕切りをショルダーバッグ等に利用した例を示す正面図である。
【図５】本発明の第３実施例の仕切りと一般的な中割（ボストンバッグ）型のバッグの組合せを示す側面図である。
【発明を実施するための形態】
【００１８】
以下図示する本発明の実施形態につき説明すると、図１，図２は本発明の仕切りとバッグの第１実施例を示すもので、この例ではリュックサックタイプのバッグと、バッグ内を上下に仕切る棚部が弾性変形するタイプのものとの組合わせを示している。
【００１９】
この例で示すバッグ１はその背面に左右一対のショルダーベルト２を付設しており、袋状のバッグ本体３の上部において左右方向に、両側面において上下方向に、スライドファスナー４のファスナーライン５が開閉操作部（開口部又は開放部）として連続して形成され、さらにファスナーライン５はバッグ本体３の下端部側で背面（外）側に湾曲しながら連続している。
そして左右両側のファスナーエンド４ａは、バッグ背面の下部中央で上下に一定の間隔Ｈを介して段違い状にオフセットして向き合っている。この構造によりバッグ１の開口面積を広く確保できる。
【００２０】
上記ファスナー４の一対の左右スライダー４ｂにより両側に開口し、スライダー４ｂを左右のファスナーエンド４ａまで開くと、実質上ループ状のファスナーライン５に囲まれた蓋部６は上下にオフセットされたファスナーエンド４ａ，４ｂ間を残して矢印ａ方向に開くことにより、バッグの背面側の殆どが開口状態となり、内部収容物が上方、左右側方（矢印ｂ方向）、背面側のいずれの方向からも取出せる状態となる。
【００２１】
これに対し、バッグ１の内部には図１，２に示すようにプラスチック製の仕切り７が背負面側の周壁内面に沿うように剛性を備えた平板状の仕切りの本体部７ａが挿入されており、この本体部７ａの片側の上下中間付近には、本体部７ａの略前幅にわたって後方（背面側）に略直角に突出し、一定の剛性を有しながらも弾力的湾曲が可能な弾性を備えた棚部７ｂが一体的に設けられている。この棚部７ｂは図示するように本体部７ａと一体形成されていても、別途取り付けられていてもよい。７ｃは本体部７ａの上端中央に設けられた把手部（把手孔）である。
【００２２】
仕切り７を一体成形する場合、本体部７ａの剛性はその部分の厚みを厚くし、棚部７ｂの弾力性も厚み調整又はさらに先端部側の厚みを順次薄くする等の厚み変化をもたせることによって調節できる。
【００２３】
上記棚部７ｂは通常は図１に示すように側面視で本体部７ａに対してＹ字形断面を形成するようにその突出端７ｄが上向きに湾曲しており、その結果本体部７ａの背面側と湾曲した棚部７ｂとの間（ポケット）と、棚部７ｂの下側には収納スペースＳ１，Ｓ２が形成されるほか上向きに湾曲した棚部７ｂの外側面とバッグ１の背面周壁の内面との間にも収納スペースＳ３（図２参照）が形成される。
【００２４】
これに対し、図２の仮想線で示すように、棚部７ｂ上の収納スペースＳ１，Ｓ２を含む単一のスペースを形成させ、ここに収納物を収納した場合は、同図の仮想線で示すように棚部７ｂはその底部面積（突出方向の底幅）を広げるように変形し、さらにその突出端７ｄはこの広がりに対応した低い位置でバッグ１の内面に矢印ｃ方向に変形して押接される状態となる。
【００２５】
この時収納スペースＳ１，Ｓ３に収納する収納物が金属塊等の特別な重量でない限り、棚部７ｂは図２の仮想線の状態を棚部７ｂの剛性と弾力性で保持するほか、下部の収容スペースＳ２内に収納物があれば、その収納物に支えられて上記保持形状を保つ場合もある。また上記保持状態をより確実に保つように、棚部７ｂが最大幅に変形した状態で棚部７ｂと本体部７ａとの間に吊り紐等の保持手段（図示しない）を設けることもできる。
【００２６】
上記の各収納スペースＳ１〜Ｓ３に収納物を収納した場合、収納スペースＳ１，Ｓ３に収納した収納物はスライドファスナー４による開口部の上方を開口させただけの開蓋で上方から取出せる。これに対し、下部の収納スペースＳ２の収納物はスライドファスナー４を全開した開蓋状態（図２の仮想線の状態）で、側方から矢印ｂ方向に取出すことができる。
【００２７】
これらの構造により、バッグ１及び棚部７ａの組合わせでは、いずれの収納スペースＳ１〜Ｓ３に対しても蓋部６の開き度合により簡単に収納物の出し入れができる利点がある。
【００２８】
図３はこの発明の第２実施例を示し、この例ではリュックサック型のバッグ１は前記同様にファスナーライン５は上部から左右側面を下向きに下部まで連続し、さらに背面に向った後、図１，２の例と同様にオフセット状態で左右のファスナーエンド４ａが形成されている。この例の前記実施との主な相違点は、バッグ１に関しては蓋部６の下半部に下側がＣ形に開放された補助開口部８を設けた点と、仕切り７の棚部７ｂが側方に向って伸縮スライドする点にあり、それ以外の点は上記実施例と概ね共通である。
【００２９】
即ちこの実施例の仕切り７は縦方向の本体部７ａに対して後方に突出する厚みのある正方形又は長方形で板状又は枠状の剛体からなる棚部７ｂが本体部７ａの左右いずれかの片側に水平に突出して固定的に取付けられており、棚部７ｂはその側の片側よりスライドして伸縮する補助棚７ｅを挿入して備えている。この補助枠７ｅは複数本のガイド棒７ｆが前後方向の端板７ｇより櫛状に突出している。このガイド棒７ｆが棚部７ｂの断面内に水平スライド可能に差込まれ、バッグ１内において棚部７ｂの左右幅を調節可能な構造になっている。棚部７ｂの上部収納スペースＳ１又は下側収納スペースＳ２に収納する収納物のサイズや形状に応じて棚幅を調節できる。
【００３０】
これに対し、バッグ１の蓋部６の下部中央には、下側が開放されたＣリング状に湾曲したファスナーラインからなる補助開口部８がスライドファスナー９により開閉可能に形成されており、この補助開口部８を矢印ａ方向に開閉することにより、バッグ本体３側のスライドファスナー４の開閉をすることなく、該補助開口部８より棚部７ｂの下側に収納物を出し入れできる構造になっている。
但し、本体側のファスナー４を側方まで開放することにより、下部側方から収納物の出し入れをすること、また蓋部６を矢印ａ方向に全開することによって上部，左右両側又は背面側のいずれからも収納物の出し入れが可能である。尚、図３における符号のうち図１，図２と共通の符号は機能が同一の同一名称部分を表している。
【００３１】
またこの例では、本体部７ａの下端の棚部７ｂの下方位置に、上記同様の棚部７ｂ，補助棚７ｅを突設しており、これらは下部収納スペースＳ２での収納物の載置台になるほか、仕切り７の底部を兼ね仕切り７の直立姿勢を保持するスタンドの機能を備えている。
【００３２】
図４は上記第２実施例の棚部７ｂをショルダーバッグ型又はセカンドバッグ型等のバッグ１１に挿入して利用した場合の応用例を示し、バッグ１１は上部開口型で、周壁の片側に蓋部１２が開閉可能に延設され、蓋部１２の開閉端両側と、本体部１３の下端両側にはベルベットファスナー等からなるファスナー１４ａ，１４ｂが付設されている。
【００３３】
そしてバッグ内に収容された図４の仕切り７の下部収納スペースＳ２に対応する本体部１３の正面には、下側が開放されたＣリング状の補助開口部１６がスライドファスナー１７により開閉可能に形成され、この補助開口部１６を開閉することにより、上部棚部７ｂの下部に対して収納物を出し入れすることができる。１７ａはファスナーエンド，１７ｂはスライダーである。
図４におけるその他の符号のうち図１〜図３の符号と共通のものは同一名称で且つ同一の機能を有する部位なので説明を省略する。
【００３４】
図５はスライドファスナー１９により中央部に左右方向の開口部を有する中割型のボストンバッグ形式のバッグ１８に、仕切り７を収容した第３実施例を示すもので、この例の仕切り７は第２実施例に示す場合と同様に本体部７ａの片面の中間部と下端部に２段の棚部７ｂを突設している点で共通するが、棚部７ｂが本体部７ａの左右方向全幅にわたって設けられており、棚部７ｂに対して伸縮可能に取付けられる補助棚部７ｅが、本体部７ａの側面に直角な方向（棚部７ｂの突出方向）に向って伸縮スライドする構造になっている。１９ａはファスナースライダーを示す。
【００３５】
その結果、棚部７ｂの前後幅が縮小状態では上部の棚部７ｂの上下に上部収納スペースＳ１と下部収納スペースＳ２が形成されるほか、棚部７ｂの突出端とこれに対応するバッグ１８の周壁との間にも収納スペースが形成される。これに対し、補助棚部７ｅを最大限突出させた状態では、上側の棚部７ｂの上下のみに前後幅が拡大された上下の収納スペースＳ１，Ｓ２が形成される。そして上部収納スペースＳ１の収納物は上側から、下部収納スペースＳ２の収納物はバッグ１８の開口された開口部（スライドファスナー１９）の側部より出し入れできる。
【符号の説明】
【００３６】
１    バッグ
３    バッグ本体
４    スライドファスナー
５    開口部（ファスナーライン）
６    蓋部
７    仕切り
７ａ  本体部
７ｂ  棚部
７ｄ  突出端
７ｅ  補助棚部
８    補助開口部（ファスナーライン）
１１  バッグ
１２  蓋部
１６  補助開口部
【図１】
0006622001.tif 000002
【図２】
0006622001.tif 000003
【図３】
0006622001.tif 000004
【図４】
0006622001.tif 000005
【図５】
0006622001.tif 000006